(57)【要約】【課題】棒状構造物の両端部を視認できる隙間を容易に作成できる隙間作成具を提供する。【解決手段】棒状構造物の外縁に取り付けられた付帯物とその外縁の間に隙間を作成する隙間作成具であって、隙間作成具は、棒状構造物の外縁と付帯物の間に、手持ち部分１ａから延伸される先端部分１ｂを挿入して隙間を形成させる挿入部材１と、挿入部材１で作成させた隙間に差し込み当該隙間を固定させる固定部材２とを備え、挿入部材１と固定部材２は連結部材３で連結される。【選択図】図１
2020143526.tif 000002
【特許請求の範囲】
【請求項１】
棒状構造物の外縁に取り付けられた付帯物と前記外縁の間に隙間を作成する隙間作成具であって、
前記隙間作成具は、前記外縁と前記付帯物の間に、手持ち部分から延伸される先端部分を挿入して前記隙間を形成させる挿入部材と、
前記隙間に差し込み当該隙間を固定させる固定部材と
を備えることを特徴とする隙間作成具。
【請求項２】
前記挿入部材と前記固定部材は連結部材で連結される
ことを特徴とする請求項１に記載の隙間作成具。
【請求項３】
前記挿入部材の端部に、当該挿入部材を、前記付帯物又は前記棒状構造物に係止させる係止部を
備えることを特徴とする請求項２に記載の隙間作成具。
【請求項４】
前記連結部材は、二色以上の色に塗り分けられている
ことを特徴とする請求項２又は３に記載の隙間作成具。
【請求項５】
棒状構造物の外縁に取り付けられた付帯物と前記外縁と間に隙間を作成する隙間作成方法であって、
前記外縁と前記付帯物の間に、手持ち部分から延伸される先端部分を挿入して前記隙間を形成させる隙間形成過程と、
前記隙間形成過程で形成した前記隙間に、所定の厚みを持つ固定部材を差し込み前記隙間を固定させる隙間固定過程と
を行うことを特徴とする隙間作成方法。
【発明の詳細な説明】
【技術分野】
【０００１】
本発明は、棒状構造物の保守作業に用いる隙間作成具及び隙間作成方法に関する。
【背景技術】
【０００２】
棒状構造物は、各種のインフラ設備に用いられている。インフラ設備の機能を維持するために、棒状構造物の計画的な点検と保守作業が必要である。
【０００３】
棒状構造物を用いたインフラ設備は、電柱、街灯、橋脚、及び杭に至まで多数存在する。これらの棒状構造物には共通した保守作業がある。よって以降の説明は、一般的な電柱を例に説明することにする。
【０００４】
電柱の保守作業は、例えば打音検査、目視による確認等、作業者の感覚に依存した検査方法が用いられて来た。しかし、作業者の個人差によって正確な検査が行えない場合がある。
【０００５】
そこで、レーザスキャナーを用いて電柱の傾斜及び撓みを測定する方法が用いられている（非特許文献１）。
【先行技術文献】
【非特許文献】
【０００６】
【非特許文献１】「作業の高効率化と高品質化を実現する基盤設備の点検診断技術」、ＮＴＴ技術ジャーナル、2014.8
【発明の概要】
【発明が解決しようとする課題】
【０００７】
しかしながら、レーザスキャナーを用いた光学的な測定方法では、測定不能になる場合が多数発生する。電柱の外縁にアースカバー等の付帯物が取り付けられることによって、電柱の両端部を視認することができなくなる。その結果、電柱の傾斜及び撓みを測定することができないという課題がある。
【０００８】
本発明は、この課題に鑑みてなされたものであり、電柱の外縁に付帯物が取り付けられた状態でも、電柱の両端部を視認できる隙間を容易に作成できる隙間作成具及び隙間作成方法を提供することを目的とする。
【課題を解決するための手段】
【０００９】
本発明の一態様に係る隙間作成具は、棒状構造物の外縁に取り付けられた付帯物と前記外縁の間に隙間を作成する隙間作成具であって、前記隙間作成具は、前記外縁と前記付帯物の間に、手持ち部分から延伸される先端部分を挿入して前記隙間を形成させる挿入部材と、前記隙間に差し込み当該隙間を固定させる固定部材とを備えることを要旨とする。
【００１０】
また、本発明の一態様に係る隙間作成方法は、上記の隙間作成具を用いて隙間を作成する隙間作成方法であって、前記外縁と前記付帯物の間に、手持ち部分から延伸される先端部分を挿入して前記隙間を形成させる隙間形成過程と、前記隙間形成過程で形成した前記隙間に、所定の厚みを持つ固定部材を差し込み前記隙間を固定させる隙間固定過程とを行うことを要旨とする。
【発明の効果】
【００１１】
本発明によれば、電柱の外縁に付帯物が取り付けられた状態でも、電柱の両端部を視認できる隙間を容易に作成できる。
【図面の簡単な説明】
【００１２】
【図１】本発明の実施形態に係る隙間作成具の外観を模式的に示す図である。
【図２】図１に示す隙間作成具を構成する挿入部材の形状の一例を示す図である。
【図３】図１に示す隙間作成具を構成する固定部材の形状の一例を示す図である。
【図４】隙間を作成する概略的な作業手順を模式的に示す図である。
【図５】図４に示す作業手順を示すフローチャートである。
【図６】図１に示す隙間作成具の変形例の外観を模式的に示す図である。
【図７】図１に示す挿入部材の変形例の形状を示す図である。
【図８】図１に示す固定部材の変形例の形状を示す図である。
【発明を実施するための形態】
【００１３】
以下、本発明の実施形態について図面を用いて説明する。複数の図面中同一のものに
は同じ参照符号を付し、説明は繰り返さない。
【００１４】
図１は、本発明の実施形態に係る隙間作成具の外観を模式的に示す図である。図１に示す隙間作成具１０は、電柱の外縁に取り付けられた付帯物とその外縁の間に隙間を作成するのに用いる。
【００１５】
図１に示すように隙間作成具１０は、挿入部材１、固定部材２、及び連結部材３を備える。連結部材３は、挿入部材１と固定部材２をセットで持ち運べるようにするための物であり、無くても構わない。
【００１６】
挿入部材１は、電柱の外縁と付帯物の間に、手持ち部分から延伸される先端部分を挿入して隙間を形成させる。付帯物は、例えば、電柱の根本部分の地表面から引き出されるアース線等をカバーするアースカバーである。詳しくは後述する。
【００１７】
固定部材２は、挿入部材１で形成させた隙間に差し込み、その隙間を固定させる。図１に示すように、固定部材２は、例えば矩形状の外形であり、所定の厚みを持つ。
【００１８】
（挿入部材）
図２は、挿入部材１の外観の一例を示す図である。図２（ａ）は平面図、図２（ｂ）は側面図である。
【００１９】
図２に示すよう、挿入部材１は所定の厚みを持つ板状の部材である。挿入部材１は、手持ち部分１ａと先端部分１ｂの2つの部分からなる。
【００２０】
手持ち部分１ａは、作業者が手でつかめる大きさである。手持ち部分１ａから延伸される先端部分１ｂは、手持ち部分１ａと一体であり平面形状は先端に向けて細くなる形状である。
【００２１】
そして、この例の先端部分１ｂは、手持ち部分１ａに対して所定の角度を持つ。所定の角度は、例えば10度未満である。また、先端部分の厚みは、電柱の外縁と付帯物の間に挿入し易いように薄くなっている。
【００２２】
なお、先端部分１ｂの手持ち部分１ａに対する角度は無くても構わない。つまり、挿入部材１は平らな板状で有っても良い。
【００２３】
（固定部材）
図３は、固定部材２の外観の一例を示す図である。図３（ａ）は平面図、図３（ｂ）は側面図である。
【００２４】
図３に示すように、固定部材２は所定の厚みを持つ例えば矩形形状（長方形）の部材である。固定部材２の厚みは、レーザスキャナーを用いた光学的な測定で隙間を捉えられる程度の厚みであれば良い。また、側面から見た形状はテーパを付けても良い。テーパを付けた変形例については後述する。
【００２５】
固定部材２の平面形状は、矩形に限られない。円形、三角形、多角形の何れで有っても構わない。
【００２６】
固定部材２の一つの角の近くに設けられた孔２ａは、挿入部材１と連結部材３でつなぐ為の孔である。孔２ａと、挿入部材１の孔１ｃを連結部材３（例えば紐）で連結することで、挿入部材１と固定部材２をセットで持ち運べる。その結果、作業性の向上及び紛失の防止等の効果が得られる。
【００２７】
なお、挿入部材１と固定部材２は、それぞれ単体で作用させるので連結部材３で両者を連結させる必要はない。
【００２８】
（隙間作成方法）
図４と図５を参照して本発明の実施形態に係る隙間作成方法について説明する。図４は、隙間を作成する概略的な作業手順を模式的に示す図である。図５は、その作業手順を示すフローチャートである。
【００２９】
図４（ａ），（ｂ），（ｃ）は、電柱２０と付帯物２１の水平方向の断面を模式的に示す図である。図４に示すように電柱２０の外縁に付帯物２１が取り付けられている（図４（ａ））。
【００３０】
付帯物２１は、立上管、引上管、及びアースカバー等と呼称されるものであり、その内部にはアース線等が格納されている。付帯物２１の高さは高くても地表面から2m程度である。よって、付帯物２１は電柱２０よりも低い。
【００３１】
図４では省略しているが、付帯物２１はバンド（図示せず）で締め付けられて電柱２０の外縁に固定されている。図４（ａ）に示すように付帯物２１は、電柱２０との間に隙間が無いように固定される。
【００３２】
このように隙間が無いのでレーザスキャナーを用いた光学測定器で電柱２０の両端（外縁）を測定することができない。その結果、電柱２０の傾斜及び撓みを測定することができない。
【００３３】
そこで、本実施形態の隙間作成具１０を用いて隙間を作成する。その隙間作成方法は、先ず、作業者が挿入部材１の手持ち部分１ａを握ってその先端部分１ｂを、付帯物２１と電柱２０の外縁との間に挿入して隙間ｄを形成させる（ステップＳ１（図５））。
【００３４】
隙間ｄは、図４（ｂ）に示すように挿入部材１の手持ち部分１ａと先端部分１ｂの境目を支点にして、てこの原理を利用して形成させても良い。
【００３５】
次に作業者は、挿入部材１で形成させた隙間ｄに固定部材２を差し込み、隙間ｄを固定させる（図４（ｃ））。例えば、作業者が右利きであれば、挿入部材１を持った右手で隙間ｄを形成させ、その隙間ｄに左手で持った固定部材２を差し込む（ステップＳ２）。
【００３６】
図４（ｄ）は、隙間ｄに固定部材２が差し込まれた状態を示す正面図である。図４（ｄ）に示すように付帯物２１と電柱２０の外縁との間に隙間ｄが形成されている。
【００３７】
隙間ｄが形成されたことで、光学測定器で電柱２０の傾斜及び撓みを測定することができる。
【００３８】
（変形例１）
図６は、本実施形態に係る隙間作成具１０の変形例の外観を模式的に示す図である。図６に示す隙間作成具１０は、連結部材が二色に塗り分けられている点で異なる。
【００３９】
図６に示す連結部材３２は、３２ａで示す部分と、３２ｂで示す部分とがそれぞれ異なる色で塗り分けられている。３２ａの部分は例えば黒、３２ｂの部分は例えば黄色である。色は、黒と黄色に限定されない。視認性の良い目立つ色であれば何でも構わない。
【００４０】
また、塗り分ける色は二色に限られない。二色以上の色に塗り分けても良い。
【００４１】
連結部材３２を目立たせることで、工具箱の中から隙間作成具１０を見つけ易くすることができる。また、作業中も目立つので、作業現場に置き忘れてしまう蓋然性を低下させることができる。
【００４２】
（変形例２）
図７は、挿入部材１の変形例の外観を示す図である。図７（ａ）は平面図、図７（ｂ）は側面図である。
【００４３】
図７に示す挿入部材１２は、挿入部材１（図２）に対して先端部分１ｂの平面形状が異なる。図７に示すように挿入部材１２の先端部分１ｂの平面形状は二股形状である。挿入部材１２の側面形状（図７（ｂ））は、挿入部材１と同じである（図２（ｂ））。
【００４４】
挿入部材１と固定部材２は、連結部材３で連結される場合がある。その場合、図４（ｄ）に示したように隙間ｄを形成した後の挿入部材１は、重力によって固定部材２から下に吊り下がることになる。
【００４５】
そうすると、連結部材３と挿入部材１とが光学測定器の視野を塞いでしまう場合がある。図７に示す二股形状は、挿入部材１２が吊り下がらないように、例えば付帯物２１を電柱２０に固定するベルト（図示せず）に係止させる係止部１ｄを構成する。
【００４６】
係止部１ｄの形状は、二股形状に限られない。付帯物２１の厚さに相当する凹形状を、挿入部材１２の手持ち部分１ａ側の端部に形成させても良い。または、金属製の付帯物２１に磁力で固定されるように挿入部材１２を磁化させても良い。
【００４７】
または、係止部１ｄは、電柱２０の表面に吸着させる吸盤で構成しても良い。このように係止部１ｄは、いくつもの態様が考えられる。
【００４８】
何れにしても、挿入部材１２の端部に、挿入部材１２を、付帯物２１又は電柱２０に係止させる係止部１ｄを備えるようにしても良い。これにより、挿入部材１２と固定部材２が連結部材３で連結された場合で有っても、挿入部材１２が光学測定器の視野を塞いでしまうことを防止することができる。
【００４９】
（変形例３）
図８は、固定部材２の変形例の外観を示す図である。図８（ａ）は平面図、図８（ｂ）は側面図である。
【００５０】
図８に示す固定部材２２は、固定部材２（図３）に対して長手方向の厚みが徐々に薄くなる形状である（図８（ｂ））。
【００５１】
図８（ｂ）に示すように固定部材２２の長手方向の一方の端部に向けて厚みが徐々に薄くなる形状にすることで、挿入部材１で形成させた隙間ｄに、固定部材２２を差し込み易くすることができる。
【００５２】
以上、棒状構造物として電柱２０を例に説明したが、本実施形態に係る隙間作成具１０は、他の、街灯、橋脚、及び杭等の何れの棒状構造物に対して用いることができる。また、棒状構造物の水平方向の断面形状は円形（丸）に限られない。その水平方向の断面形状は矩形であっても構わない。
【００５３】
以上説明したように、本実施形態に係る隙間作成具１０によれば、棒状構造物の外縁に付帯物が取り付けられた状態でも、棒状構造物の両端部を視認できる隙間を容易に作成することができる。
【００５４】
本発明は、ここでは記載していない様々な実施形態等を含むことは勿論である。したがって、本発明の技術的範囲は上記の説明から妥当な特許請求の範囲に係る発明特定事項によってのみ定められるものである。
【符号の説明】
【００５５】
１，１２：挿入部材
１ａ：手持ち部分
１ｂ：先端部分
１ｃ：孔
１ｄ：係止部
２，２２：固定部材
２ａ：孔
３，３２：連結部材
１０：隙間作成具
２０：電柱（棒状構造物）
２１：付帯物
【図１】
2020143526.tif 000003
【図２】
2020143526.tif 000004
【図３】
2020143526.tif 000005
【図４】
2020143526.tif 000006
【図５】
2020143526.tif 000007
【図６】
2020143526.tif 000008
【図７】
2020143526.tif 000009
【図８】
2020143526.tif 000010